(57)【特許請求の範囲】
【請求項１】
酸素または水と接触して発熱する偏平に成形された加温材と、揮発性の防虫成分を担持した網状体と、この網状体の周縁部を支持する枠体とを有し、前記網状体はその網目の開口率が５０％以上であり、この網状体が前記加温材の両面を覆うように配置され、
前記枠体はバネ弾性を有する２枚の同形の枠材（１ａ、１ｂ）をそれぞれの１辺部である連結辺部（１ｃ）で連結してなり、前記連結辺部のバネ弾性によって２枚の枠材の間に前記加温材を挟み込んで固定でき、しかも、前記連結辺部に対向する辺部の間を手で開くことで２枚の枠材の間に前記加温材を挿入可能とされ、加温材の交換が可能とされていることを特徴とする害虫防除器具。
【発明の詳細な説明】
【０００１】
【発明の属する技術分野】
本発明は、自己発熱により揮発性の防虫成分を有効に蒸散させ、野外、キャンプのテント内、自動車内、収納庫内、文化財周辺などでも長時間安全かつ簡便に害虫を防除することができる害虫防除器具に関する。
【０００２】
【従来の技術】
従来、カ、ハエ、ゴキブリなどの害虫を防除する目的でピレスロイドなどの殺虫成分を加温して蒸散させる手段が、蚊取線香や電気蚊取り器、燻煙剤などとして知られている。
【０００３】
【発明が解決しようとする課題】
しかし、これらの内で蚊取線香は裸火を用いるので使用上多くの制約があり、電気蚊取り器も一般に電源を必要とし携帯使用ができないので、野外や電源がない場所では使用できないという問題があった。また、燻煙剤は、殺虫成分を含んだ大量の刺激性の煙が発生するので、使用中は人畜を遠ざけなければならないという問題があった。更に、これらは局部的に数百度におよぶ高温を発生するので周囲のものを変質させるおそれがあった。
本発明は前記の課題を解決するためになされたものであって、従ってその目的は、裸火や電源を必要とせずに揮発性の防虫成分を有効に蒸散させ、野外、キャンプのテント内、自動車内、収納庫内、文化財周辺などでも長時間安全に害虫を防除することができる害虫防除器具を提供することにある。
【０００４】
【課題を解決するための手段】
前記の課題を解決するために本発明は、酸素または水と接触して発熱する偏平に成形された加温材と、揮発性の防虫成分を担持した網状体と、この網状体の周縁部を支持する枠体とを有し、前記網状体はその網目の開口率が５０％以上であり、この網状体が前記加温材の両面を覆うように配置され、前記枠体はバネ弾性を有する２枚の同形の枠材をそれぞれの１辺部である連結辺部で連結してなり、前記連結辺部のバネ弾性によって２枚の枠材の間に前記加温材を挟み込んで固定でき、しかも、前記連結辺部に対向する辺部の間を手で開くことで２枚の枠材の間に前記加温材を挿入可能とされ、加温材の交換が可能とされた害虫防除器具を提供する。
本発明の前記害虫防除器具は、揮発性の防虫成分を担持する担体が網状体であるので、酸素または水と接触して発熱する加温材に供給される空気や水分の流通が揮発性の防虫成分の担体によって妨げられることなく、加温材を必要な温度に発熱させることができ、防除に有効な量の揮発性の防虫成分を蒸散させることができる。また、前記網状体の網目の口径を調節することにより、空気や水分の流通量を適度に制限し、加温材の発熱反応を制御して有効量の揮発性の防虫成分が長時間にわたって蒸散するように調整することもできる。
【０００５】
ここで網状体とは、糸条を編んで成形したネット、およびシートに多数の穴を開けて成形した多孔シートを含む。この網状体における網目または穴の開口率（開口面積／網状体面積の比）が１０％未満では、網状体を通しての空気または水分の流通が不足し、加温材を短時間で必要温度に加熱することが困難になる。また、網状体の形状にすることによって、同じ素材量で面積を広く形成することができる。これらの観点から開口率は５０％以上とする。
【０００６】
前記において、加温材が例えば塊状であれば発熱させた際にその表面温度は部位により大きな差があり、また時間に伴う温度変化も部位により異なる。従って加温材は偏平に成形し、前記網状体はこの加温材の少なくとも１面を覆うように配置する。
【０００７】
前記において、害虫防除器具は、網状体の周縁部を支持する枠体を有することが好ましい。
これによって、加温材の熱が効率よく網状体に伝達され、揮発性の防虫成分を無駄なく蒸散させることができる。また、この枠体によって害虫防除器具を例えば立てておくことも傾斜しておくこともできるので、偏平な加温材の両面からの発熱を有効に利用することができ、また自動車内などの狭い不定形の空間にも容易に設置することができる。
【０００８】
前記揮発性の防虫成分は、ピレスロイドなどの殺虫成分やジエチルトルアミド、植物精油成分などの忌避成分、またはこれらの混合物などである。これら揮発性の防虫成分は、比較的低温度で加熱しても有効に蒸散させることができ、カ、ハエ、ゴキブリなど有害昆虫、その他の不快害虫の防除効果が高く、しかも無臭で安全性が高いので、実用性の高い害虫防除器具が得られる。
【０００９】
前記加温材は、鉄粉または酸化カルシウムを含むものであることが好ましい。
鉄粉を含む加温材は空気中の酸素と反応して発熱し、酸化カルシウムを含む加温材は空気中の水分または注入した水と反応して発熱するので、安価で入手容易な自己発熱性の加温材として好適である。
これらの加温材は不織布または紙からなる通気性の外皮を有することが好ましい。鉄粉または酸化カルシウムを含む加温材は一般に粉粒状であり、不織布または紙からなる外皮は好適な発熱温度と発熱持続時間が得られるように酸素または水分の流通を制御するので、不織布または紙からなる外皮を用いることによって、加温材の漏出を防止し、しかも加温材の発熱温度と持続時間とを適度に制御することができる。
特に前記鉄粉を含む酸化発熱型の加温材は、自己発熱型カイロとして広く市販されているので、これら市販の自己発熱型カイロが本発明の害虫防除器具に有利に利用できる。
【００１０】
前記加温材は、未使用時には外気遮断性の包体に包装されていることが好ましい。この加温材は酸素または水と接触することにより発熱するものであるから、使用前の害虫防除器具は加温材を外気から遮断しておく必要がある。加温材が外気遮断性の包体に覆われていれば、未使用時には加温材が発熱せず、従って実使用前の揮発性の防虫成分は網状体に担持されたまま蒸散せず効力が保存される。
この外気遮断性の包体は、加温材のみを覆っていてもよく、また加温材と網状体とを共に覆っていてもよい。外気遮断性の包体が加温材のみを覆っている形態は市販の前記自己発熱型カイロと同じであるから、市販の自己発熱型カイロをそのまま本発明の加温材として使用できる利点がある。一方、外気遮断性包体が加温材と網状体とを共に覆っている場合は、使用前の加温材の発熱を防止するばかりでなく、保存中に揮発性の防虫成分が揮発することも防止するので、害虫防除器具の保存性が向上する。従って、加温材と網状体とはそれぞれ別途に外気遮断性包体で包装されていてもよい。
【００１１】
【発明の実施の形態】
以下、本発明の一実施形態を、図面を用いて説明する。
図１は本発明の害虫防除器具の一実施形態を示している。図１においてこの害虫防除器具は、概略長方形の窓１１を有する枠体１と、この枠体１の窓１１に張られた網状体２と、この網状体２の内側に収容された市販の自己発熱型カイロからなる加温材３とからなっている。
【００１２】
枠体１は、バネ弾性を有する１０．５cm×１４cmの長方形のプラスチック板から成形され、それぞれが５cm×９cmの窓１１を有する２枚の同形の枠材１ａ、１ｂが、１辺部（図１では上辺部）１ｃで連結されてなっている。この枠体１は、枠材１ａ、１ｂの前記連結辺部（上辺部）１ｃに対向する辺部（図１では下辺部）１ｄを手で開くと２枚の枠材１ａ、１ｂの間に加温材３を挿入することができ、手を離すと、枠材１ａ、１ｂがバネ弾性によって閉じ、加温材３をその間に固定できるようになっている。
【００１３】
この害虫防除器具には、枠材１ａ、１ｂの前記連結辺部（上辺部）１ｃの中央に吊り下げ用の孔１３が形成され、また枠体１の下辺部１ｄには着脱自由な脚部材１４が付属され、この脚部材１４は、枠体１を立てる際に装着して用いるようになっている。
【００１４】
この網状体２は、殺虫成分のエンペンスリン（ピレスロイド殺虫剤）が１０重量％練り込まれた合成樹脂製のシートに、口径３mmの正六角形の穴が幅０．５mmの間隔で全面に形成されたものである。
この網状体２は、前記枠材１ａ、１ｂのそれぞれの内側に、それぞれの窓１１を覆って貼着されている。
【００１５】
加温材３としては、前記のように鉄粉、水、活性炭の他、必要ならバーミキュライト、珪藻土、木粉、高吸水性樹脂、塩類などの混合物からなる粉粒体が不織布の袋に収容され、外気遮断性の包材に包装された市販品が用いられている。
【００１６】
この害虫防除器具を使用する際には、先ず前記加温材３を外気遮断性の包材から取出し、この加温材３を枠材１ａ、１ｂの間に挟み込んだ後、所望の場所に置けばよい。このとき、必要なら孔１３を用いてこの害虫防除器具を吊り下げることもでき、また必要なら脚部材１４を装着してこの害虫防除器具を立てて置くこともできる。
【００１７】
酸化発熱型の前記加温材３は、外気（酸素）と接触すると酸化反応を起こし発熱する。この際、外気は網状体２を通って自由に流通するので、網状体２の存在が前記酸化反応を抑制することはない。加温材３が発熱すると、この熱は直ちに網状体２に伝達され、網状体２の温度が上昇し、網状体に練り込まれたエンペンスリンが蒸散し、防虫効果を現す。この害虫防除器具は、加温材３が発熱反応を持続している間は効力を持続し、更に網状体２に有効量のエンペンスリンが残留している限り、前記加温材３を交換するだけで何度でも繰り返し使用することができる。
【００１８】
この害虫防除器具は、蚊取線香のように裸火を使用せず、また電気蚊取り器のように電源を必要ともしないので、野外、キャンプのテント内、自動車内、文化財周辺などでも長時間安全に使用することができる。
【００１９】
本発明の害虫防除器具は、前記実施形態のもの以外にもさまざまな形態が可能である。例えば加温材は、酸化カルシウムを含むものであってもよい。この場合、酸化カルシウムは水と反応して発熱するので、空気中の湿分を吸収して発熱反応を開始するようにしてもよく、または酸化カルシウムと隔壁を介して水を共存させておき、使用時にこの隔壁を破って発熱反応を開始するようにしてもよい。
前記揮発性の防虫成分は、練り込みによる他に、前記網状体に含浸、塗布などの方法で担持させてもよい。この場合、揮発性の防虫成分を網状体に固定するために必要ならバインダーなどを用いてもよい。
【００２０】
（試験例１）
加温材として市販の前記自己発熱型カイロを用い、このカイロの両面に前記網状体、ろ紙、またはフィルムを密着させたときの前記カイロの表面温度（℃）を、時間の経過を追って測定した。結果を表１に示す。
【００２１】
【表１】
0004401486.tif 000002
【００２２】
表１の結果から、カイロの両面に前記網状体を密着させた場合は、３０分経過以降１２０分の測定期間中、加温材の表面温度が５５℃一定に保たれていることがわかる。エンペンスリンは、この５５℃前後の温度であれば網状体から有効量が蒸散可能であるばかりでなく、この程度の温度では、他の器物などが近傍に置かられいてもこれらを変質・損傷することがない。
これに対して、カイロの両面にろ紙を密着させた場合は、時間が経過してもエンペンスリンの蒸散に好適な温度に達せず、防虫効果が期待できないことがわかる。またカイロの両面にフィルムを密着させた場合は、空気の流通が阻害されるので、当然ながらカイロの表面温度は上昇せず、エンペンスリンを蒸散させる効果はない。
【００２３】
（試験例２）
図１に示す実施形態の害虫防除器具を用い、実際の使用場面を想定して防虫効果を測定した。
１回目
図２に示すテント（床面積６．６m2、中央部高さ１８５cm）内で、その中央部床面に図１に示す実施形態の害虫防除器具（検体）を立設し、それぞれ▲１▼〜▲４▼に示す平面／床上位置にそれぞれ、▲１▼▲２▼▲４▼の位置にはチカイエカを各２０頭入れたケージを設置し、▲３▼の位置にはイエバエを２０頭入れたケージを設置し、また別に、前記テント内に自由飛翔のイエバエを４０頭放ち、前記害虫防除器具に加温材として市販の自己発熱型カイロを装着して加熱開始後、３時間蒸散を続けその間の最初の１時間における供試虫のノックダウン率（％）を１０分間隔で測定した。
１回目の試験の結果を表２に示す。測定した１時間内における網状体の減量（すなわち揮発性の防虫成分の蒸散量）は５mg、室温は２３℃であった。
【００２４】
【表２】
0004401486.tif 000003
【００２５】
繰り返し使用試験
前記１回目の試験を終了した検体を用い、毎回加温材を新品と交換して前記と同様の試験を３回繰り返した。
３回目の試験の結果を表３に示す。測定した１時間内における検体の減量（すなわち揮発性の防虫成分の蒸散量）は６mg、室温は２４℃であった。
【００２６】
【表３】
0004401486.tif 000004
【００２７】
以上の結果から、本実施形態の害虫防除器具は、加温材を３回交換して用いても網状体中の防虫成分の時間当たり蒸散量があまり変化せず、防虫効果も衰えていないことがわかる。
【００２８】
【発明の効果】
本発明の害虫防除器具は、酸素または水と接触して発熱する加温材と、揮発性の防虫成分を担持した網状体とを有するものであるので、揮発性の防虫成分を有効に蒸散させることができ、野外、キャンプのテント内、自動車内、収納庫内、文化財周辺などでも長時間安全に害虫を防除することができる。
【図面の簡単な説明】
【図１】  本発明の一実施形態を示す側面図。
【図２】  一試験例を示す平面図。
【符号の説明】
１  ：枠体、  １ａ，１ｂ；枠材、  １ｃ；上辺部、  １ｄ；下辺部
１１：窓
１３：孔
１４：脚部材
２  ：網状体
３  ：加温材
【図１】
0004401486.tif 000005
【図２】
0004401486.tif 000006